(57)【要約】【課題】車両の側突に限らず、斜突の場合でも、側面エアバッグを誤作動なく確実に展開させる。【解決手段】車両の前後方向の加速度である縦加速度と車両の横方向の加速度である横加速度を検出するステップＢ２と、縦加速度に基づいて側面エアバッグの展開閾値を算出するステップＢ３，Ｂ４，Ｂ７と、横加速度が展開閾値以上であるときに側面エアバッグを展開させるステップＢ５，Ｂ６，Ｂ８とを備え、上記展開閾値を算出するステップは、縦加速度が大きくなるほど上記展開閾値が小さくなるようにするプロセスＢ５を有する。【選択図】図６
2020175721.tif 000002
【特許請求の範囲】
【請求項１】
車両の座席に着座する乗員の上体の側方に展開する側面エアバッグを備えた車両のエアバッグ展開方法であって、
上記車両の前後方向の加速度である縦加速度と上記車両の横方向の加速度である横加速度を検出するステップと、
上記縦加速度に基づいて上記側面エアバッグを展開するための展開閾値を算出するステップと、
上記横加速度が上記展開閾値以上であるときに上記側面エアバッグを展開させるステップとを備え、
上記展開閾値を算出するステップは、上記縦加速度が大きくなるほど上記展開閾値が小さくなるようにするプロセスを有することを特徴とするエアバッグ展開方法。
【請求項２】
請求項１において、
上記縦加速度が大きくなるほど上記展開閾値が小さくなるプロセスは、上記縦加速度が所定値よりも小さいときに実行することを特徴とするエアバッグ展開方法。
【請求項３】
請求項２において、
上記展開閾値を算出するステップは、上記縦加速度が上記所定値以上であるときに、上記縦加速度が大きくなるほど上記展開閾値が大きくなるようにするプロセスを有することを特徴とするエアバッグ展開方法。
【請求項４】
請求項３において、
上記縦加速度が上記所定値であるときの上記展開閾値は零よりも大きいことを特徴とするエアバッグ展開方法。
【請求項５】
車両の座席に着座する乗員の上体の側方に展開する側面エアバッグを備えるエアバッグシステムであって、
上記車両の前後方向の加速度である縦加速度と検出する縦加速度センサと、
上記車両の横方向の加速度である横加速度を検出する横加速度センサと、
上記側面エアバッグにその展開のためのガスを供給するインフレータと、
上記縦加速度と上記横加速度に基づいて上記インフレータを作動させる制御信号を出力するためのプログラムを格納したメモリと、該メモリに格納されたプログラムを実行するプロセッサとを備えたコントローラとを備え、
上記プログラムは、上記縦加速度に基づいて上記側面エアバッグを展開するための展開閾値を算出する処理と、上記横加速度が上記展開閾値以上であるときに上記制御信号を生成する処理とを備え、
上記展開閾値を算出する処理は、上記縦加速度が大きくなるほど上記展開閾値が小さくなるようにする処理を有することを特徴とするエアバッグシステム。
【請求項６】
請求項５において、
上記縦加速度が大きくなるほど上記展開閾値が小さくなるようにする処理は、上記縦加速度が所定値よりも小さいときに実行することを特徴とするエアバッグシステム。
【請求項７】
請求項６において、
上記展開閾値を算出する処理は、上記縦加速度が上記所定値以上であるときに、上記縦加速度が大きくなるほど上記展開閾値が大きくなるようにする処理を有することを特徴とするエアバッグシステム。
【請求項８】
請求項７において、
上記縦加速度が上記所定値であるときの上記展開閾値は零よりも大きいことを特徴とするエアバッグシステム。
【発明の詳細な説明】
【技術分野】
【０００１】
本発明は車両のエアバッグ展開方法及びエアバッグシステムに関する。
【背景技術】
【０００２】
車両が他の車両等の障害物に衝突したときの乗員の保護のために、エアバッグを車両に装備することが一般に行なわれている。そのエアバッグとしては、座席に着座した乗員の上体の前方に展開して乗員をインストルメントパネル等に衝突することから保護する正面エアバッグや、座席に着座した乗員の上体の側方に展開して乗員をピラー等に衝突することから保護する側面エアバッグが知られている。
【０００３】
車両に加わる衝撃は縦加速度センサや横加速度センサで検出されている。正面エアバッグは縦加速度（減速度）が所定値以上になったときに展開し、側面エアバッグは横加速度が所定値以上になったときに展開するようにされている。その縦加速度センサや横加速度センサは、エアバッグが軽度の衝撃で不用意に展開しないように、車両における軽度の衝撃では変形しない比較的剛性が高い部分に設けられている。
【０００４】
特許文献１には、車両のフロアトンネル部に縦加速度を検出するフロアセンサを設け、さらに、車両前端部の左右に縦加速度を検出するサテライトセンサを設けて、正面エアバッグの展開を制御することが記載されている。具体的には、正突によって、フロアセンサによって検出される縦加速度の演算値が所定の閾値を超えたときに正面エアバッグを展開させるが、正突以外の斜突、オフセット衝突等の衝突がサテライトセンサによって検出されたときは上記閾値を下げるというものである。つまり、斜突等の場合は、フロアトンネル部に衝撃が強く伝わらず、フロアセンサでは、衝撃を検出しにくいことから、サテライトセンサで斜突等を検出して正面エアバッグを展開できるようにするというものである。
【先行技術文献】
【特許文献】
【０００５】
【特許文献１】特開２０００−１６８４９２号公報
【発明の概要】
【発明が解決しようとする課題】
【０００６】
車両に側面エアバッグを設ける場合、横加速度センサは、側面エアバッグの展開が必要となる衝撃を確実に検出することができるように、例えば、車両のサイドピラー（Ｂピラー）に設けられる。そうして、車両の側面に他の車両等が真横から衝突する側突（側面衝突）だけでなく、車両がその正面から斜めに逸れた角度で衝突する斜突の場合でも、乗員はその衝撃によって座席から斜め前方に投げ出される形になるため、側面エアバッグを展開させて乗員を保護することが好ましい。
【０００７】
しかし、斜突の場合は、その車両の衝突箇所が横加速度センサの位置から離れているため、その斜突を確実に検出することが難しくなる。この問題に対して、側面エアバッグを展開する横加速度の閾値を下げることが考えられるが、今度は、ドアを強く閉めたときや急ブレーキ時にもエアバッグが展開してしまう、言わば誤作動の問題が出てくる。
【０００８】
ここに、車両の衝突形態をみると、車両が障害物に真正面から衝突する正突（正面衝突）や上記側突は比較的少なく、多くは車両がその正面から斜めに逸れた角度で衝突する斜突となる。斜突が多くなるのは、車両のドライバが正突を回避すべく、衝突直前にハンドルを切る動作をするためと認められる。従って、斜突対策は重要である。
【０００９】
誤作動の問題に対処するには、側面エアバッグの展開閾値を高めに設定して側面エアバッグを展開しにくくしたうえで、車室内の内装部材の衝撃吸収構造を大型化又は追加することが考えられるが、車両の重量増を招き、また、コストの点で不利になる。
【００１０】
そこで、本発明は、車両の側突に限らず、斜突の場合でも、側面エアバッグを誤作動なく確実に展開させて、衝突時の乗員の保護を図る。
【課題を解決するための手段】
【００１１】
本発明は、上記課題を解決するために、側面エアバッグを展開させるための横加速度に係る展開閾値を縦加速度大きくなるほど小さくなるようにした。
【００１２】
ここに開示するエアバッグ展開方法は、車両の座席に着座する乗員の上体の側方に展開する側面エアバッグの展開方法であって、
上記車両の前後方向の加速度である縦加速度と上記車両の横方向の加速度である横加速度を検出するステップと、
上記縦加速度に基づいて上記側面エアバッグを展開させるための展開閾値を算出するステップと、
上記横加速度が上記展開閾値以上であるときに上記側面エアバッグを展開させるステップとを備え、
上記展開閾値を算出するステップは、上記縦加速度が大きくなるほど上記展開閾値が小さくなるようにするプロセスを有することを特徴とする。
【００１３】
ここに、斜突時には、衝撃が車両に対して斜め前方から加わるため、側突時に比べて車両に加わる縦加速度が大きくなる。従って、縦加速度が大きくなるほど展開閾値が小さくなるということは、縦加速度が小さい側突時には側面エアバッグを展開させるための横加速度に係る展開閾値が大きく、斜突になるほど（正突に近くなるほど）、その展開閾値が小さくなるということである。
【００１４】
よって、側突時の側面エアバッグに展開させるための横加速度に係る展開閾値を下げることなく、換言すれば、誤作動を招くことなく、斜突時には展開閾値を下げて側面エアバッグを確実に展開させることができるようになり、乗員の保護に有利になる。
【００１５】
一実施形態では、上記縦加速度が大きくなるほど上記展開閾値が小さくなるプロセスは、上記縦加速度が所定値よりも小さいときに実行する。
【００１６】
縦加速度が大きいときは、乗員の上体が前方に強く投げ出される形になる。このときに、側面エアバッグが展開すると、乗員は、上体が前倒れになった状態で側面エアバッグの展開圧力を受けて車室内方に押されることになる。すなわち、乗員は、ＯＯＰ（非適正着座）姿勢で側面エアバッグの圧力を受ける形になるから、乗員の上体の揺れが大きくなり、乗員の受ける衝撃が大きくなることが懸念される。そこで、上記プロセスは縦加速度が所定値よりも小さいときに実行するものである。
【００１７】
一実施形態では、上記展開閾値を算出するステップは、上記縦加速度が上記所定値以上であるときに、上記縦加速度が大きくなるほど上記展開閾値が大きくなるようにするプロセスを有する。
【００１８】
このように、縦加速度が大きいときは、展開閾値が大きくなることによって、側面エアバッグが展開しにくくなるため、側面エアバッグの作動の適正化が図れる。
【００１９】
一実施形態では、上記縦加速度が上記所定値であるときの上記展開閾値は零よりも大きい。
【００２０】
また、ここに開示するエアバッグシステムは、車両の座席に着座する乗員の上体の側方に展開する側面エアバッグに係るシステムであって、
上記車両の前後方向の加速度である縦加速度と検出する縦加速度センサと、
上記車両の横方向の加速度である横加速度を検出する横加速度センサと、
上記側面エアバッグにその展開のためのガスを供給するインフレータと、
上記縦加速度と上記横加速度に基づいて上記インフレータを作動させる制御信号を出力するためのプログラムを格納したメモリと、該メモリに格納されたプログラムを実行するプロセッサとを備えたコントローラとを備え、
上記プログラムは、上記縦加速度に基づいて上記側面エアバッグを展開させるための展開閾値を算出する処理と、上記横加速度が上記展開閾値以上であるときに上記制御信号を生成する処理とを備え、
上記展開閾値を算出する処理は、上記縦加速度が大きくなるほど上記展開閾値が小さくなるようにする処理を有することを特徴とする。
【００２１】
これによれば、上記エアバッグ展開方法を実施して、側突時の側面エアバッグに展開させる展開閾値を下げることなく、換言すれば、誤作動を招くことなく、斜突時に側面エアバッグを確実に展開させることができるようになり、乗員の保護に有利になる。
【００２２】
一実施形態では、上記縦加速度が大きくなるほど上記展開閾値が小さくなるようにする処理は、上記縦加速度が所定値よりも小さいときに実行する。これにより、側面エアバッグの作動の適正化に有利になる。
【００２３】
一実施形態では、上記展開閾値を算出する処理は、上記縦加速度が上記所定値以上であるときに、上記縦加速度が大きくなるほど上記展開閾値が大きくなるようにする算出処理を有する。これにより、側面エアバッグの作動の適正化にさらに有利になる。
【００２４】
一実施形態では、上記縦加速度が上記所定値であるときの上記展開閾値は零よりも大きい。
【発明の効果】
【００２５】
本発明によれば、側突時の側面エアバッグに展開させるための横加速度に係る展開閾値を下げることなく、換言すれば、誤作動を招くことなく、斜突時に側面エアバッグを確実に展開させることができるようになり、乗員の保護に有利になる。
【図面の簡単な説明】
【００２６】
【図１】エアバッグを備えた車両の側面図。
【図２】エアバッグの制御系のブロック図。
【図３】正面エアバッグの展開閾値を示すグラフ図。
【図４】側面エアバッグの展開閾値を示すグラフ図。
【図５】正面エアバッグの制御フロー図。
【図６】側面エアバッグの制御フロー図。
【発明を実施するための形態】
【００２７】
以下、本発明を実施するための形態を図面に基づいて説明する。以下の好ましい実施形態の説明は、本質的に例示に過ぎず、本発明、その適用物或いはその用途を制限することを意図するものではない。
【００２８】
図１に示す車両１において、２はステアリングホイール３に畳んだ状態で設けられた正面エアバッグである。４はルーフサイド部からフロントピラー部に沿ってその車室内側に畳んだ状態で設けられた側面エアバッグ（所謂カーテンエアバッグ）である。エアバッグ２，４各々にはインフレータ（図１では図示省略）が接続されている。インフレータの起爆によって各エアバッグ２，４にその膨張展開のためのガスが供給される。
【００２９】
正面エアバッグ２は、インフレータからのガスの供給により膨張して、乗員の上体の前方に展開する。側面エアバッグ４は、インフレータからのガスの供給により膨張して、車室のウインドガラスを含む側壁に沿って下方に展開する、すなわち、乗員の側方に展開する。側面エアバッグ４は、車両１の両サイドに設けられている。
【００３０】
エアバッグ２，４にはベントホールが設けられている。乗員がエアバッグ２，４に衝突すると、エアバッグ２，４の内部のガスがベントホールより外部に排出される。
【００３１】
＜縦加速度・横加速度の検出手段＞
車両１には、その衝突を検出してインフレータを作動させるための縦加速度センサ５と横加速度センサ６が設けられている。縦加速度センサ５は、車両１の前後方向の加速度である縦加速度を検出する。縦加速度センサ５は、車両１の前端部において左右方向に延びるバンパレインフォースメントの中央部に取付けられている。横加速度センサ６は、車両１の横方向の加速度である横加速度を検出する。横加速度センサ６は、車両１の左右のＢピラー（サイドピラー）７各々の下部に取付けられている。車両１の左側の衝突は対応する左側の横加速度センサ６によって検出され、車両１の右側の衝突は対応する右側の横加速度センサ６によって検出される。
【００３２】
＜エアバッグの作動を制御するコントローラ＞
車両１は、エアバッグ２，４の作動を制御する図２に示すコントローラ１１を備えている。縦加速度センサ５によって検出される縦加速度の絶対値G_Front及び横加速度センサ６によって検出される横加速度の絶対値G_Sideに基づいて、エアバッグ２，４の作動が制御される。
【００３３】
コントローラ１１は、周知のマイクロコンピュータをベースとするものであり、コンピュータプログラム（ＯＳ等の基本制御プログラム、及び、ＯＳ上で起動されて特定機能を実現するアプリケーションプログラムを含む）を実行するプロセッサ（中央演算処理装置（ＣＰＵ））１４と、例えばＲＡＭやＲＯＭにより構成されてプログラムおよびデータを格納するメモリ１５と、種々の信号の入出力を行うための入出力（Ｉ／Ｏ）バスとを含む。
【００３４】
メモリ１５には、縦加速度の絶対値G_Front及び横加速度の絶対値G_Sideに基づいて正面エアバッグ２用のインフレータ１２及び側面エアバッグ４用のインフレータ１３を作動させる制御信号を出力するためのプログラムが格納されている。メモリ１５に格納されたプログラムがプロセッサ１４によって実行される。
【００３５】
＜正面エアバッグの展開制御＞
正面エアバッグ２は、縦加速度の絶対値G_Frontと後述の展開閾値G_Front_2又は展開閾値G_Front_3を比較し、G_FrontがG_Front_2以上又はG_Front_3以上であるときに、インフレータ１２の起爆によって展開される。
【００３６】
展開閾値G_Front_2は、横加速度の絶対値G_Sideが所定値G_Side_1未満であるときに、横加速度の絶対値G_Sideに基づいて算出される。展開閾値G_Front_3は、横加速度の絶対値G_Sideが所定値G_Side_1以上であるときに、同じく横加速度の絶対値G_Sideに基づいて算出される。上記所定値G_Side_1は、横加速度の絶対値G_Sideがこれ以上になると、縦加速度の大きさ如何に関わらず、側面エアバッグ４が展開することになる側面エアバッグ４の展開に係る閾値である。
【００３７】
メモリ１５は、展開閾値G_Front_2，G_Front_3各々を横加速度の絶対値G_Sideに基づいて算出する閾値関数のための、両者の対応関係を予め定めて記録したデータテーブルを備えている。横加速度の絶対値G_Sideに基づいてテーブルから閾値データが読み出され、補間演算によって展開閾値G_Front_2，G_Front_3が算出される。
【００３８】
図３は、展開閾値G_Front_2，G_Front_3と横加速度の絶対値G_Sideの関係の一例を示す。同図のハッチングを付けた部分は正面エアバッグ２の展開オフ領域（展開させない領域）である。横加速度の絶対値G_Sideが所定値G_Side_1未満であるときの展開閾値G_Front_2は、横加速度の絶対値G_Sideが大きくなるほど小さくなるように設定されている。横加速度の絶対値G_Sideが所定値G_Side_1以上であるときの展開閾値G_Front_3は、横加速度の絶対値G_Sideが大きくなるほど大きくなるように設定されている。
【００３９】
展開閾値G_Front_2，G_Front_3は、側面エアバッグ２を展開するための後述する展開閾値G_Front_2又は展開閾値G_Front_3を択一的に選択する基準となる縦加速度の絶対値に係る所定値G_Front_1が上限となっている。展開閾値G_Front_2，G_Front_3の下限は、すなわち、横加速度の絶対値G_Sideが所定値G_Side_1であるときの展開閾値であり、零よりも大きな閾値G_Front_4に設定されている。
【００４０】
＜側面エアバッグの展開制御＞
側面エアバッグ４は、横加速度の絶対値G_Sideと展開閾値G_Side_2又は展開閾値G_Side_3を比較し、G_SideがG_Side_2以上又はG_Side_3以上であるときに、インフレータ１３の起爆によって展開される。
【００４１】
展開閾値G_Side_2は、縦加速度の絶対値G_Frontが所定値G_Front_1未満であるときに、縦加速度の絶対値G_Frontに基づいて算出される。展開閾値G_Side_3は、縦加速度の絶対値G_Frontが所定値G_Front_1以上であるときに、同じく縦加速度の絶対値G_Frontに基づいて算出される。上記所定値G_Front_1は、縦加速度の絶対値G_Frontがこれ以上になると、横加速度の大きさ如何に関わらず、正面エアバッグ２が展開することになる正面エアバッグ２の展開に係る閾値である。
【００４２】
メモリ１５は、展開閾値G_Side_2，G_Side_3各々を縦加速度の絶対値G_Frontに基づいて算出する閾値関数のための、両者の対応関係を予め定めて記録したデータテーブルを備えている。縦加速度の絶対値G_Frontに基づいてテーブルから閾値データが読み出され、補間演算によって展開閾値G_Side_2，G_Side_3が算出される。
【００４３】
図４は、展開閾値G_Side_2，G_Side_3と縦加速度の絶対値G_Frontの関係の一例を示す。同図のハッチングを付けた部分は側面エアバッグ４の展開オフ領域（展開させない領域）である。縦加速度の絶対値G_Frontが所定値G_Front_1未満であるときの展開閾値G_Side_2は、縦加速度の絶対値G_Frontが大きくなるほど小さくなるように設定されている。縦加速度の絶対値G_Frontが所定値G_Front_1以上であるときの展開閾値G_Side_3は、縦加速度の絶対値G_Frontが大きくなるほど大きくなるように設定されている。
【００４４】
展開閾値G_Side_2，G_Side_3の上限は、正面エアバッグ２を展開するための展開閾値G_Front_2又は展開閾値G_Front_3を択一的に選択する基準となる上述の横加速度の絶対値に係る所定値G_Side_1である。展開閾値G_Side_2，G_Side_3の下限は、すなわち、縦加速度の絶対値G_Frontが所定値G_Front_1であるときの展開閾値であり、零よりも大きな閾値G_Side_4に設定されている。
【００４５】
＜正面エアバッグ２の展開制御の流れ＞
図５はプログラムによる正面エアバッグ２の展開処理の流れを示す。ステップＡ１において、車両１のＩＧ（エンジンキー）がオフになっているか否かが判別される。ＩＧオンであれば、ステップＡ２に進んで、縦加速度センサ５で検出される縦加速度及び横加速度センサ６で検出される横加速度が読み込まれる。続くステップＡ３において、横加速度の絶対値G_Sideが所定値G_Side_1未満であるか否かが判別される。
【００４６】
横加速度の絶対値G_Sideが所定値G_Side_1未満であれば、ステップＡ４に進んで、横加速度の絶対値G_Sideに基づいて正面エアバッグ２を展開するための縦加速度に係る展開閾値G_Front_2が算出される。続くステップＡ５において、縦加速度の絶対値G_Frontが展開閾値G_Front_2以上であるか否かが比較判別される。縦加速度の絶対値G_Frontが展開閾値G_Front_2以上であれば、ステップＡ６に進んで、正面エアバッグ２に係るインフレータ１２を起爆させる制御信号が出力される。
【００４７】
ステップＡ３において、横加速度の絶対値G_Sideが所定値G_Side_1以上であるときは、ステップＡ７に進んで、横加速度の絶対値G_Sideに基づいて正面エアバッグ２を展開するための縦加速度に係る展開閾値G_Front_3が算出される。続くステップＡ８において、縦加速度の絶対値G_Frontが展開閾値G_Front_3以上か否か比較判別される。縦加速度の絶対値G_Frontが展開閾値G_Front_3以上であれば、ステップＡ６に進んで、正面エアバッグ２に係るインフレータ１２を起爆させる制御信号が出力される。
【００４８】
ここに、ステップＡ３の判別基準である所定値G_Side_1は、側面エアバッグ４に係る展開閾値G_Side_2，G_Side_3の上限である。従って、ステップＡ３において、横加速度の絶対値G_Sideが所定値G_Side_1以上であるときは、インフレータ１３に起爆用の制御信号が別途出力されて側面エアバッグ４が展開する。
【００４９】
以上によれば、図３に示すように、横加速度が所定値G_Side_1未満であるときは、正面エアバッグ２の展開閾値G_Front_2は、横加速度が大きくなるほど小さくなる。これは、正突時には正面エアバッグ２の展開閾値G_Front_2が大きく、横加速度が大きくなるほど、すなわち、斜突になるほど（側突に近くなるほど）、その展開閾値G_Front_2が小さくなるということである。
【００５０】
従って、正突時の展開閾値G_Front_2を下げることなく、換言すれば、正面エアバッグ２が車両１の急ブレーキ時に展開してしまうような誤作動を招くことなく、展開が必要な斜突時にこれを展開させて乗員を確実に保護することができる。また、横加速度が所定値G_Side_1未満であるときは、衝突時における乗員の上体の側方への横倒れはそれほど大きくないから、正面エアバッグ２の展開が乗員に害を及ぼす結果となることは避けられる。
【００５１】
横加速度が所定値G_Side_1以上になると、正面エアバッグ２の展開閾値G_Front_3は、横加速度が大きくなるほど大きくなる。横加速度が大きくなると、乗員の上体が横倒れ姿勢（ＯＯＰ状態）になりやすいところ、このときは、正面エアバッグ２は、展開閾値G_Front_3が大きくなることによって、その展開が抑えられる。すなわち、正面エアバッグ２の作動が適正になる。また、このときは、横加速度が所定値G_Side_1以上であることにより、図４から明らかなように、側面エアバッグ４が展開する。よって、乗員の横倒れする上体を側面エアバッグ４で受けることができ、乗員の保護に有利になる。
【００５２】
＜側面エアバッグ４の展開制御の流れ＞
図６はプログラムによる側面エアバッグ２の展開処理の流れを示す。ステップＢ１において、車両１のＩＧ（エンジンキー）がオフになっているか否かが判別される。ＩＧオンであれば、ステップＢ２に進んで、縦加速度センサ５で検出される縦加速度及び横加速度センサ６で検出される横加速度が読み込まれる。続くステップＢ３において、縦加速度の絶対値G_Frontが所定値G_Front_1未満であるか否かが判別される。
【００５３】
縦加速度の絶対値G_Frontが所定値G_Front_1未満であれば、ステップＢ４に進んで、縦加速度の絶対値G_Frontに基づいて側面エアバッグ４を展開するための横加速度に係る展開閾値G_Side_2が算出される。続くステップＢ５において、横加速度の絶対値G_Sideが展開閾値G_Side_2以上であるか否かが比較判別される。横加速度の絶対値G_Sideが展開閾値G_Side_2以上であれば、ステップＢ６に進んで、側面エアバッグ４に係るインフレータ１３を起爆させる制御信号が出力される。
【００５４】
ステップＢ３において、縦加速度の絶対値G_Frontが所定値G_Front_1以上であるときは、ステップＢ７に進んで、縦加速度の絶対値G_Frontに基づいて側面エアバッグ４を展開するための横加速度に係る展開閾値G_Side_3が算出される。続くステップＢ８において、横加速度の絶対値G_Sideが展開閾値G_Side_3以上か否か比較判別される。横加速度の絶対値G_Sideが展開閾値G_Side_3以上であれば、ステップＢ６に進んで、側面エアバッグ２に係るインフレータ１３を起爆させる制御信号が出力される。
【００５５】
ここに、ステップＢ３の判別基準である所定値G_Front_1は、正面エアバッグ２に係る展開閾値G_Front_2，G_Front_3の上限である。従って、ステップＢ３において、縦加速度の絶対値G_Frontが所定値G_Front_1以上であるときは、インフレータ１２に起爆用の制御信号が別途出力されて正面エアバッグ２が展開する。
【００５６】
以上によれば、図４に示すように、縦加速度が所定値G_Front_1未満であるときは、側面エアバッグ４の展開閾値G_Side_2は、縦加速度が大きくなるほど小さくなる。これは、側突時には側面エアバッグ４の展開閾値G_Side_2が大きく、縦加速度が大きくなるほど、すなわち、斜突になるほど（側突に近くなるほど）、その展開閾値G_Side_2が小さくなるということである。
【００５７】
従って、側突時の展開閾値G_Side_2を下げることなく、換言すれば、側面エアバッグ４が車両１のドアの強閉時に展開してしまうような誤作動を招くことなく、展開が必要な斜突時にこれを展開させて乗員を確実に保護することができる。また、縦加速度が所定値G_Front_1未満であるときは、衝突時における乗員の上体の前方への倒れは大きくないから、側面エアバッグ４の展開が乗員に害を及ぼす結果となることは避けられる。
【００５８】
縦加速度が所定値G_Front_1以上になると、側面エアバッグ４の展開閾値G_Side_3は、縦加速度が大きくなるほど大きくなる。縦加速度が大きくなると、乗員の上体が前方に倒れた姿勢（ＯＯＰ状態）になりやすいところ、このときは、側面エアバッグ４は、展開閾値G_Side_3が大きくなることによって、その展開が抑えられる。すなわち、側面エアバッグ４の作動が適正なものになる。
【００５９】
また、縦加速度が所定値G_Front_1以上であるときは、図３から明らかなように、正面エアバッグ２が展開し、乗員の上体に前方から大きな圧力が加わる。このとき、縦加速度が大きくなるほど展開閾値G_Side_3が大きくなることによって、側面エアバッグ４の展開が抑えられるから、側面エアバッグ４が正面エアバッグ２と相俟って乗員に大きな衝撃を加える結果となることが避けられる。
【００６０】
一方、正面エアバッグ２が展開するときにおいても、縦加速度がそれほど大きくないときは、展開閾値がG_Side_3小さくなるため、側面エアバッグ２が展開しやすくなる。このときは、縦加速度がそれほど大きくないことにより、正面エアバッグ２から乗員に加わる衝撃もそれほど大きくはならないため、側面エアバッグ４が展開しても、乗員がトータルで受ける衝撃は大きくならない。かえって、側面エアバッグ４の展開によって乗員の保護が図れることになる。
【００６１】
なお、正面エアバッグ２は、上述のステアリングホイール３に限らず、他の場所、例えば、車両のインストルメントパネルに設けることができる。
【００６２】
側面エアバッグ４は、カーテンエアバッグとして設けることに限らず、車両のサイドピラーやシートの側部など他の場所に設けることができる。
【００６３】
縦加速度センサ５は、バンパーレインフォースメントに限らず、車両のフロア部など他の場所に設けることができる。横加速度センサも、Ｂピラー７に限らず、車両のサイドシルなど他の場所に設けることができる。
【符号の説明】
【００６４】
１  車両
２  正面エアバッグ
４  側面エアバッグ
５  縦加速度センサ
６  横加速度センサ
７  コントローラ
１２  正面エアバッグインフレータ
１３  側面エアバッグインフレータ
【図１】
2020175721.tif 000003
【図２】
2020175721.tif 000004
【図３】
2020175721.tif 000005
【図４】
2020175721.tif 000006
【図５】
2020175721.tif 000007
【図６】
2020175721.tif 000008